(57)【要約】【課題】機体に装着したロータリ耕耘装置等により耕耘作業や除草作業を行うことができる歩行型農作業機において、点検作業等で、エンジンから排出される排気ガスを排出する排気管に誤って手指が触れることを防止するためのカバー体を設ける。【解決手段】エンジン１８の駆動力をミッションケース１１の入力軸に伝達するベルト伝動装置２５と、エンジン１８から排出される排気ガスを排出する排気管４３とを、一体的に覆うことができるカバー体２１を設けると共に、当該カバー体２１を回り止め手段Ｓと一つの螺設具４８を介して取り付け可能に構成した。【選択図】図１
2006094712.tif 000002
【特許請求の範囲】
【請求項１】
エンジン（１８）の駆動力をミッションケース（１１）の入力軸に伝達するベルト伝動装置（２５）と、エンジン（１８）から排出される排気ガスを排出する排気管（４３）とを、一体的に形成したカバー体（２１）で覆ったことを特徴とする歩行型農作業機。
【請求項２】
カバー体（２１）を回り止め手段（Ｓ）と一つの螺設具（４８）を介して取り付け可能に構成したことを特徴とする請求項１に記載の歩行型農作業機。
【発明の詳細な説明】
【技術分野】
【０００１】
本発明は、機体に装着したロータリ耕耘装置等により耕耘作業や除草作業を行うことができる歩行型農作業機に関する。
【背景技術】
【０００２】
従来、機体に装着したロータリ耕耘装置等により耕耘作業や除草作業を行うことができる歩行型農作業機においては、エンジンの駆動力をミッションケースの入力軸に伝達するベルト伝動装置を覆うカバー体が設けられている（例えば、特許文献１参照。）。
【特許文献１】特開２００１−２３８５０４号公報（第３頁、図４−図５）
【発明の開示】
【発明が解決しようとする課題】
【０００３】
しかし、上述したような従来の歩行型農作業機では、エンジンから排出される排気ガスをマフラーを介して排出するための排気管が剥き出し状態となっており、点検作業等において当該排気管に誤って手指が触れた場合は火傷を起こす虞があった。
【課題を解決するための手段】
【０００４】
本発明は、上記課題を解決することを目的としたものであって、エンジンの駆動力をミッションケースの入力軸に伝達するベルト伝動装置と、エンジンから排出される排気ガスを排出する排気管とを、一体的に形成したカバー体で覆ったことを第１の特徴としている。
【０００５】
そして、カバー体を回り止め手段と一つの螺設具を介して取り付け可能に構成したことを第２の特徴としている。
【発明の効果】
【０００６】
請求項１の発明によれば、エンジンの駆動力をミッションケースの入力軸に伝達するベルト伝動装置と、エンジンから排出される排気ガスを排出する排気管とを、一体的に形成したカバー体で覆ったことによって、点検作業等において排気管に誤って手指が触れることを回避することができると共に、外観デザインの向上が図れる。
【０００７】
そして、請求項２の発明によれば、前記カバー体を、回り止め手段と一つの螺設具を介して取り付け可能に構成したので、当該カバー体を確実且つ簡単に取り付けることができる。
【発明を実施するための最良の形態】
【０００８】
次に、本発明の実施の形態を図面に基づいて説明する。図１及び図２は本発明が適用される農作業機である歩行型管理機１０の側面図と平面図であって、該歩行型管理機１０は、その機体を構成する側面視で逆へ字状のミッションケース１１が中央に配設されており、このミッションケース１１の後側下部に車軸１２を軸架して走行車輪１３を取り付ける一方、ミッションケース１１の前側下部には、ロータリ耕耘装置１４を構成する複数の耕耘爪１５を植設した耕耘軸１６を横架している。
【０００９】
そして、ミッションケース１１の上部に取付けたエンジンフレーム１７にエンジン１８を載置すると共に、このエンジン１８の左側に配設した箱蓋状のカバー体２１によって、図３及び図４に示す如くエンジン１８の出力プーリ２２、ミッションケース１１の入力プーリ２３、及び両プーリ２２，２３に巻き掛けたＶベルト２４からなるベルト伝動装置２５の外側が露出しないように安全に覆われている。
【００１０】
尚、前記プーリ２２，２３間には、揺動自在なテンションプーリ２６を備えたテンションクラッチ機構２７が設けてあり、このテンションプーリ２６の揺動によりＶベルト２４のテンションを緊緩することによって、エンジン１８とミッションケース１１間の動力の断接がなされる。そして、ミッションケース１１内に入力された動力は、当該ミッションケース１１内の変速機構を介して変速された後、走行車輪１３やロータリ耕耘装置１４に伝達されるようになっている。
【００１１】
また、ミッションケース１１の上部には、後方に向けてハンドル３１が延設してあって、このハンドル３１をオペレーターが把持した状態で歩行型管理機１０を走行させながら、ロータリ耕耘装置１４の耕耘爪１５を回転駆動させることによって耕耘作業が行えるようになっている。そして、前記ハンドル３１を把持するオペレーターとロータリ耕耘装置１４との間には、走行車輪１３が配設されているので、それによって当該オペレーターがロータリ耕耘装置１４に誤って巻き込まれる等の事故を防止し、安全を確保できるようにしている。
【００１２】
また、エンジン１８の上部には燃料タンク３５を配設すると共に、この燃料タンク３５の周囲を覆うプラスチック製のエンジンカバー（ボンネット）３６を取付けている。そして、ロータリ耕耘装置１４の耕耘爪１５の上方には、該耕耘爪１５を覆うプラスチック製のロータリカバー３８を設けている。尚、ロータリ耕耘装置１４の中央前方には、高さ調節可能なゲージ輪４１が配設してあり、このゲージ輪４１の上下方向の高さを調節することによって、ロータリ耕耘装置１４の耕耘軸１６（耕耘爪１５）の耕深調節、及び路上走行等の移動時においては、当該ゲージ輪４１を補助輪として作用させることができるようになっている。
【００１３】
そして、エンジン１８の上部左側には、該エンジン１８から排出される排気ガスをマフラー４２を介して排出するための排気管４３が突出して剥き出し状態となっているが、上述したベルト伝動装置２５を覆う箱蓋状のカバー体２１を排気管４３の側方まで延設することによって、ベルト伝動装置２５と排気管４３とを当該カバー体２１で一体的に覆うことができるように構成している。
【００１４】
即ち、上述の如く形成したカバー体２１によれば、点検作業等において排気管４３に誤って手指が触れることを回避できると共に、当該カバー２１体の外観デザインの向上が図れる。尚、前記排気管４３の側方に対応するカバー２１体の部位には、複数の通気口２１ａを穿設している。
【００１５】
また、図３及び図４に示すように、ベルト伝動装置２５とエンジン１８及びミッションケース１１の左側外周面との間には、当該ベルト伝動装置２５を内側から覆うプレート状の内側カバー４６をエンジン１８及びミッションケース１１に螺設している。そして、内側カバー４６の底面４６ａに固設した支持部材４７に、前記カバー体２１を一つの螺設具であるビス４８を用いて取り付けることができるようになっている。
【００１６】
ところで、前記螺設具として通常はノブ付きボルトが多用されているが、このノブ付きボルトのノブ部（把持部）に誤って何らかが接当した場合は、そのネジ部の緩みが生じやすいので、本実施例では安全性を考慮してビス４８を螺設具として採用している。尚、ビス４８の締め込み及び取り外しは、マイナスドライバーまたは硬貨等を用いて行うことができる。
【００１７】
また、上述したビス４８を用いてカバー体２１を支持部材４７に取り付ける際、当該カバー体２１がビス４８と共に連れ回りすることを防止すべく回り止め手段Ｓを設けている。そして、この回り止め手段Ｓは、内側カバー４６の周縁部に立ち上げたリブ４６ｂに対し、カバー体２１の側枠２１ａの周縁部に形成した周溝Ｈを嵌装させることによって構成されており、前記回り止め手段Ｓと一つの螺設具であるビス４８を介して、当該カバー体２１を確実且つ簡単に取り付けることができる。
【００１８】
尚、カバー体２１には、図３に示すＨ寸法の如く段差を設けている。即ち、エンジン１８の出力プーリ２２側方から排気管４３の側方に至るカバー体２１のＡ面よりも、その下方に位置するミッションケース１１の入力プーリ２３側方のＢ面を一段低く形成してあり、この段差（Ｈ）を設けることによって、当該カバー体２１と走行車輪１３とが側面視で重合する部分の平面視における隙間Ｗを十分に確保することができるようになっている。
【図面の簡単な説明】
【００１９】
【図１】歩行型管理機の側面図。
【図２】歩行型管理機の平面図。
【図３】カバー体の取り付け状態を示す断面図。
【図４】カバー体の取り付け状態を示す側面図。
【符号の説明】
【００２０】
１１  ミッションケース
１８  エンジン
２５  ベルト伝動装置
４３  排気管
４８  螺設具
Ｓ    回り止め手段
【図１】
2006094712.tif 000003
【図２】
2006094712.tif 000004
【図３】
2006094712.tif 000005
【図４】
2006094712.tif 000006